(57)【要約】【課題】光軸調整機能を有しつつ、放熱効率の高い車両用灯具を提供する。【解決手段】車両用灯具１が、前側及び後ろ側が開口した非可撓性ハウジング５０と、非可撓性ハウジング５０の後部に取り付けられ、後ろ側が開口した可撓性ハウジング６０と、非可撓性ハウジング５０の前側開口を閉塞する透明なアウターレンズ５５と、非可撓性ハウジング５０に揺動可能に取り付けられ、可撓性ハウジング６０内に嵌め込まれた取付部３１と、非可撓性ハウジング５０、可撓性ハウジング６０及びアウターレンズ５５によって囲われた灯室２内に収容され、取付部３１の前面に取り付けられた発光モジュール１０と、発光モジュール１０の前に配置され、取付部３１に固定され、灯室２内に収容された投影レンズ４０と、取付部３１の後面に設けられ、可撓性ハウジング６０の外に露出する放熱フィン３３と、を備える。【選択図】図３
2015106465.tif 000002
【特許請求の範囲】
【請求項１】
中空を有し、前側及び後ろ側が開口した非可撓性ハウジングと、
前記非可撓性ハウジングの後部に取り付けられ、前記非可撓性ハウジングの中空の後ろ側に通じる中空を有し、後ろ側が開口した可撓性ハウジングと、
前記非可撓性ハウジングの前側開口を閉塞する透明なアウターレンズと、
前記非可撓性ハウジングに揺動可能に取り付けられ、前記可撓性ハウジング内に嵌め込まれた取付部と、
前記非可撓性ハウジング、前記可撓性ハウジング及び前記アウターレンズによって囲われた灯室内に収容され、前記取付部の前面に取り付けられた発光モジュールと、
前記発光モジュールの前に配置され、前記取付部に固定され、前記灯室内に収容された投影レンズと、
前記取付部の後面に設けられ、前記可撓性ハウジングの外に露出する放熱フィンと、
を備える、
ことを特徴とする車両用灯具。
【請求項２】
前記非可撓性ハウジングの後部が前記可撓性ハウジングの前側開口に嵌め込まれ、前記非可撓性ハウジングの後部の外周面が前記可撓性ハウジングの内周面に密接する、
ことを特徴とする請求項１に記載の車両用灯具。
【請求項３】
前記可撓性ハウジングの内周面に周方向に沿って設けられ、前記非可撓性ハウジングの後部の外周面に圧接されたシール部を更に備える、
ことを特徴とする請求項２に記載の車両用灯具。
【請求項４】
前記可撓性ハウジングと一体となるよう前記可撓性ハウジングの内周面に周方向に沿って形成され、前記取付部の前面又は後面に当接するガスケット部と、
前記取付部に締結され、前記取付部との間に前記ガスケット部を挟み込む固定具と、を更に備える、
ことを特徴とする請求項１から３の何れか一項に記載の車両用灯具。
【発明の詳細な説明】
【技術分野】
【０００１】
本発明は、光軸調整機能を有しつつ、放熱効率の高い車両用灯具に関する。
【背景技術】
【０００２】
特許文献１に記載されているように、ＬＥＤモジュール（２３）、リフレクタ（２５）、投影レンズ（３０）及びヒートシンク（２６）がブラケット（１８）に組み付けられることによって、これらからなる灯具ユニット（１０）が構成される。この灯具ユニット（１０）は、ランプボディ（１２）及びカバー（１４）によって囲われた灯室（１６）内に収容されている。また、ブラケット（１８）がランプボディ（１２）の内側に取り付けられたエイミングスクリュー（２１，２２）に連結され、エイミングスクリュー（２１，２２）を回転させることによって灯具ユニット（１０）を傾かせ、その光軸を調整する。また、灯室（１６）内にはファン（２８）が設けられ、ファン（２８）によって強制対流を発生させ、ヒートシンク（２６）の放熱効率を高めている。
【先行技術文献】
【特許文献】
【０００３】
【特許文献１】特開２０１２−２３０８３４号公報
【発明の概要】
【発明が解決しようとする課題】
【０００４】
しかし、特許文献１に記載の技術では、ヒートシンク（２６）が灯室（１６）内に収容されているから、たとえファン（２８）があったとしても、放熱効率の向上には限界がある。ヒートシンク（２６）を灯室（１６）の外に配置しようとすると、灯具ユニット（１０）が傾動するようになっているため、灯室（１６）の密閉性を確保するためには何かしらかの工夫・創作が必要である。
そこで、本発明が解決しようとする課題は、光軸調整機能を有しつつ、放熱効率の高い車両用灯具を提供することである。
【課題を解決するための手段】
【０００５】
以上の課題を解決するべく、本発明に係る車両用灯具は、中空を有し、前側及び後ろ側が開口した非可撓性ハウジングと、前記非可撓性ハウジングの後部に取り付けられ、前記非可撓性ハウジングの中空の後ろ側に通じる中空を有し、後ろ側が開口した可撓性ハウジングと、前記非可撓性ハウジングの前側開口を閉塞する透明なアウターレンズと、前記非可撓性ハウジングに揺動可能に取り付けられ、前記可撓性ハウジング内に嵌め込まれた取付部と、前記非可撓性ハウジング、前記可撓性ハウジング及び前記アウターレンズによって囲われた灯室内に収容され、前記取付部の前面に取り付けられた発光モジュールと、前記発光モジュールの前に配置され、前記取付部に固定され、前記灯室内に収容された投影レンズと、前記取付部の後面に設けられ、前記可撓性ハウジングの外に露出する放熱フィンと、を備える。
【０００６】
好ましくは、前記非可撓性ハウジングの後部が前記可撓性ハウジングの前側開口に嵌め込まれ、前記非可撓性ハウジングの後部の外周面が前記可撓性ハウジングの内周面に密接する。
【０００７】
好ましくは、前記車両用灯具が、前記可撓性ハウジングの内周面に周方向に沿って設けられ、前記非可撓性ハウジングの後部の外周面に圧接されたシール部を更に備える。
【０００８】
好ましくは、前記車両用灯具が、前記可撓性ハウジングと一体となるよう前記可撓性ハウジングの内周面に周方向に沿って形成され、前記取付部の前面又は後面に当接するガスケット部と、前記取付部に締結され、前記取付部との間に前記ガスケット部を挟み込む固定具と、を更に備える。
【発明の効果】
【０００９】
本発明によれば、発光モジュールから発した熱が取付部及び放熱フィンを通じて可撓性ハウジングの外側に放熱される。放熱フィンが可撓性ハウジングの外側に露出するので、放熱効率が高くなる。
取付部が可撓性ハウジング内に嵌め込まれているので、灯室の密閉性を密閉することができる。そして、可撓性ハウジングだからこそ、取付部が非可撓性ハウジングに対して動かそうとすると可撓性ハウジングが変形するため、取付部を揺動させることができる。これにより、光軸の傾きを調整することができる。
取付部に投影レンズ及び発光モジュールが取り付けられているから、取付部、投影レンズ及び発光モジュールが一体的に動き、投影レンズによって投影される光の色合いや配光の崩れ・変化等を防止することができる。
【図面の簡単な説明】
【００１０】
【図１】車両用灯具の斜視図である。
【図２】前記車両用灯具の斜視図である。
【図３】前記車両用灯具の分解斜視図である。
【図４】前記車両用灯具の縦断面図である。
【発明を実施するための形態】
【００１１】
以下に、本発明を実施するための形態に係る車両用灯具について図面を用いて説明する。但し、以下に述べる実施形態には、本発明を実施するために技術的に好ましい種々の限定が付されているが、本発明の範囲を以下の実施形態及び図示例に限定するものではない。
【００１２】
図１は、本発明の実施形態に係る車両用灯具１をその斜め前から見て示した斜視図である。図２は、この車両用灯具１をその斜め後ろから見て示した斜視図である。図３は、車両用灯具１の分解斜視図である。図４は、車両用灯具１の断面図である。図４に示す断面は、車両用灯具１の光軸Ａｘを通って水平面に直交する。
【００１３】
この車両用灯具１は、フォグランプ、ヘッドランプ又はコーナーリングランプ等として利用される。この車両用灯具１は、発光モジュール１０、回路基板２０、ヒートシンク３０、投影レンズ４０、遮光板４５、非可撓性ハウジング５０、アウターレンズ５５、可撓性ハウジング６０及び調整機構部７０等を備える。
【００１４】
発光モジュール１０は発光素子１１、パッケージ１２及び端子１３等を有し、発光素子１１及び端子１３がパッケージ１２に取り付けられている。発光素子１１は発光ダイオード、有機発光ダイオード（有機エレクトロルミネッセンス素子）、無機エレクトロルミネッセンス素子その他の半導体発光素子である。
【００１５】
この発光モジュール１０は端子１３及びリード線等によって回路基板２０に接続されている。回路基板２０は正面から見て発光モジュール１０の上下及び左を囲うように発光モジュール１０の周囲に配置されている。この回路基板２０に各種の電気素子（例えば、ダイオード、抵抗器、コンデンサ、トランジスタ、ＩＣチップ等）が実装されて、回路が回路基板２０に設けられている。回路基板２０に設けられる回路は、例えば発光モジュール１０の発光素子１１を駆動したり、その発光素子１１を保護したりするものである。
【００１６】
発光モジュール１０は、熱伝導率の高い材料（例えば金属）からなるヒートシンク３０に取り付けられている。このヒートシンク３０は台座部３２、取付板（取付部）３１及び複数の放熱フィン３３等を有する。取付板３１が円形状の金属板である。台座部３２が取付板３１の前面に凸状に設けられている。複数の放熱フィン３３は取付板３１の後面に立てられた状態に設けられており、これら放熱フィン３３は取付板３１の後面から後方へ突出する。これら放熱フィン３３は隣同士の間に隙間をおいて配列されている。
【００１７】
発光モジュール１０は複数の締結部材（例えば、ネジ、リベット、止めピン等）１５によって台座部３２の前面に締結されている。発光モジュール１０が台座部３２に取り付けられた状態では、発光素子１１が前方に向けられており、発光素子１１から前方に延びる光軸Ａｘが設定される。
【００１８】
回路基板２０は複数の締結部材（例えば、ネジ、リベット、止めピン等）２１によって台座部３２の周囲において取付板３１に取り付けられている。具体的には、締結部材２１は、回路基板２０の前から回路基板２０の穴に通され、取付板３１の前面に凸状に設けられたボス３４に締結されている。
【００１９】
回路基板２０（特に回路基板２０に設けられた回路）には複数本のリード線２２が接続されており、それらリード線２２が取付板３１を前後に貫通した貫通孔３５に通されている。リード線２２の中途部にはシール部材２３が外装され、そのシール部材２３が貫通孔３５に嵌め込まれて、リード線２２と貫通孔３５の内周面の隙間がシール部材２３によって塞がれている。
【００２０】
ヒートシンク３０の前面には投影レンズ４０及び遮光板４５が次のように固定されている。
投影レンズ４０の周縁部には支持部４１が設けられ、支持部４１と投影レンズ４０が一体に形成されている。一方、取付板３１の前面には、ボス３６が凸状に設けられている。そして、遮光板４５が投影レンズ４０の後ろに配置されているとともにボス３６と支持部４１との間に挟まれ、複数の締結部材（例えば、ネジ、リベット、止めピン等）４２によって支持部４１と遮光板４５がボス３６に共締めされている。
【００２１】
この遮光板４５の中央部には透光穴４６が形成され、発光素子１１が透光穴４６の後ろに配置され、光軸Ａｘが透光穴４６を通る。発光素子１１によって放射状に発せられる光のうち投影レンズ４０の周縁の外側に向かう余分な光は遮光板４５によって遮光され、投影レンズ４０の周縁の内側に向かう光は透光穴４６を通過する。透光穴４６を通過した光は投影レンズ４０によって前方に投影される。投影レンズ４０によって投影される光の配光はフォグランプ、すれ違い用ヘッドランプ、走行用ヘッドランプ又はコーナーリングランプ等の規格を満たす。この車両用灯具１単体でそれらの規格を満たすか、又はこの車両用灯具１と他の灯具を組み合わせてそれらの規格を満たす。
【００２２】
以上のように発光モジュール１０、回路基板２０、ヒートシンク３０、投影レンズ４０及び遮光板４５が一体に組み付けられ、これらによって一体の灯具ユニットが構成される。この灯具ユニットが非可撓性ハウジング５０に対して相対的に上下に揺動可能に設けられ、灯具ユニットの光軸Ａｘを上下に振ることによって灯具ユニットの光軸Ａｘの向きを調整することができる。
【００２３】
非可撓性ハウジング５０は中空を有する筒状（より具体的には、円筒状）に形成されており、非可撓性ハウジング５０の中心軸線が前後方向に延在する。
非可撓性ハウジング５０の前端と後端が開口し、非可撓性ハウジング５０の中空が前側及び後ろ側において開放される。非可撓性ハウジング５０の前端にアウターレンズ５５が取り付けられ、非可撓性ハウジング５０の前側開口がアウターレンズ５５によって閉塞されている。このアウターレンズ５５は透明であって、光を素通しするものである。
非可撓性ハウジング５０の内側にはエクステンション５１が設けられ、非可撓性ハウジング５０の中空がエクステンション５１によってエクステンション５１よりも前側の領域と後ろ側の領域に仕切られている。エクステンション５１の中央部には、開口５２が形成されており、投影レンズ４０がこの開口５２内に収まる。
【００２４】
この非可撓性ハウジング５０にはヒートシンク３０が次のようにして上下に揺動可能に取り付けられている。ヒートシンク３０の取付板３１の前面の左右両側には、軸止め部３７がそれぞれ形成されている。軸止め部３７の側面には、雌ねじ３８が形成されている。一方、非可撓性ハウジング５０の左右側面には軸受部５３（図３では、片方の軸受部５３が見えて、もう片方の軸受部５３が非可撓性ハウジング５０によって隠れている）がそれぞれ形成されており、軸受部５３には軸孔５４が左右に貫通するように形成されている。そして、段付きねじ３９が軸受部５３の側方から軸孔５４に通されて雌ねじ３８に締め付けられている。段付きねじ３９がヒートシンク３０の上下揺動の中心軸となり、その中心軸が左右に延在し、段付きねじ３９のラジアル荷重が軸受部５３に受けられるとともに、段付きねじ３９の頭部のアキシアル荷重が軸受部５３に受けられる。なお、ヒートシンク３０が取付板３１の前にある中心軸を中心にして上下揺動可能となって非可撓性ハウジング５０に取り付けられているのであれば、その構造は軸止め部３７、軸受部５３及び段付きねじ３９に限るものではない。
【００２５】
非可撓性ハウジング５０の後部に可撓性ハウジング６０が取り付けられている。可撓性ハウジング６０がゴム弾性材料（例えば、ＥＰＤＭ：エチレン・プロピレン・ジエンゴム）からなり、可撓性を有する。この可撓性ハウジング６０は中空を有する筒状（より具体的には、円筒状）に形成されており、可撓性ハウジング６０の中心軸線が前後方向に延在する。可撓性ハウジング６０の前端と後端が開口し、可撓性ハウジング６０の中空が前側及び後ろ側において開放される。
【００２６】
可撓性ハウジング６０の前部の内周面には複数の凸状シール部６１が形成されており、それらシール部６１が周方向に延在してリング状に設けられている。非可撓性ハウジング５０の後部が可撓性ハウジング６０の前側開口に嵌め込まれ、可撓性ハウジング６０の後部が非可撓性ハウジング５０の後端から後方へ延び出ている。これにより、可撓性ハウジング６０の中空が非可撓性ハウジング５０の中空の後ろ側に通じている。
【００２７】
可撓性ハウジング６０の前側開口が非可撓性ハウジング５０によって僅かに拡径され、可撓性ハウジング６０の弾性力によってシール部６１が非可撓性ハウジング５０の外周面に圧接されている。これにより、非可撓性ハウジング５０の外周面と可撓性ハウジング６０の内周面の隙間が密閉される。なお、シール部６１の代わりにゴム製のＯリング（シール部）が非可撓性ハウジング５０の後部の外周面と可撓性ハウジング６０の内周面との間に挟持されてもよい。
【００２８】
以上のように可撓性ハウジング６０及びアウターレンズ５５が非可撓性ハウジング５０に組み付けられることによって、非可撓性ハウジング５０、可撓性ハウジング６０及びアウターレンズ５５によって囲われた灯室２がそれらの内側に形成される。
【００２９】
灯具ユニットのうち発光モジュール１０、回路基板２０、投影レンズ４０、遮光板４５及び台座部３２は灯室２内に収容されている。取付板３１が可撓性ハウジング６０の後ろ側開口に嵌め込まれてその後ろ側開口を閉塞し、複数の放熱フィン３３が可撓性ハウジング６０の外に配置されて露出する。可撓性ハウジング６０の内周面の左右両側には凹部６２がそれぞれ形成され、段付きねじ３９の頭部が凹部６２にそれぞれ収まっている。
【００３０】
可撓性ハウジング６０の内周面の後端にリング状のガスケット部６３が周方向に沿って形成され、そのガスケット部６３が可撓性ハウジング６０の内周面から内側へ突出する。ガスケット部６３は可撓性ハウジング６０と一体成形されている。そのガスケット部６３が取付板３１の後面の周縁部とリング状の固定具６５との間に挟まれ、その固定具６５がネジ６６によって取付板３１に締結されている。これにより可撓性ハウジング６０の後ろ側開口が密閉されている。
なお、ガスケット部６３が取付板３１の前面の周縁部に当接してもよい。その場合、リング状の固定具６５が灯室２内からガスケット部６３を取付板３１との間に挟み込んで、取付板３１に締結されている。
【００３１】
続いて、調整機構部７０について説明する。調整機構部７０は、動力源（例えば、モーター）又は人力の動力を灯具ユニットに伝えて、その動力に係る回転運動を灯具ユニットの上下揺動に変換するものである。この調整機構部７０はブラケット７１、ナット７３、ブラケット７５、スクリュー７７及び弾性部材７９等を有する。
【００３２】
ブラケット７１はヒートシンク３０の取付板３１の後面に設けられて、その後面から後方に延出する。そのブラケット７１が薄板状に設けられ、開口７２がブラケット７１の上面から下面に貫通するようそのブラケット７１に形成され、上から見てブラケット７１が枠状に形成されている。ナット７３がブラケット７１の下からブラケット７１の開口に嵌め込まれ、ナット７３の周面の下端に形成されたフランジ７４がブラケット７１の下面に引っ掛かっている。
【００３３】
ブラケット７５は非可撓性ハウジング５０の下面に設けられて、その下面から下方に延出して、後方へ屈曲する。ブラケット７５の後端部を通し孔７６が上下に貫通し、その通し孔７６がブラケット７１の開口７２の下に配置される。スクリュー７７が遊びをもって通し孔７６に通され、そのスクリュー７７がナット７３にねじ込まれている（螺合する）。スクリュー７７の頭部７８は摘みであり、その頭部７８がブラケット７５の下面に当接する。
【００３４】
スクリュー７７が弾性部材７９に通され、その弾性部材７９がスクリュー７７の周囲に巻かれている。弾性部材７９はナット７３とブラケット７５との間に挟まれて、圧縮されている。弾性部材７９の弾性力によってナット７３のフランジ７４がブラケット７１に下面に押し当てられている。
以上のように構成された調整機構部７０は非可撓性ハウジング５０及び可撓性ハウジング６０の外に配置されている。
【００３５】
スクリュー７７を回転することによってナット７３がブラケット７５から離れるよう上昇し、これにより灯具ユニットの光軸Ａｘが下に傾く。一方、スクリュー７７を逆に回転することによってナット７３がブラケット７５に近づくように下降し、これにより灯具ユニットの光軸Ａｘが上に傾く。弾性部材７９はナット７３とブラケット７１を一体に組み付けるものであり、ナット７３がブラケット７１の開口７２に差し込まれているため、灯具ユニットの光軸Ａｘが傾く際にスクリュー７７の軸が僅かに傾く。また、灯具ユニットの光軸Ａｘが傾く際には、可撓性ハウジング６０が灯具ユニットの傾動に追従して曲がる。
【００３６】
以上の実施の形態によれば、以下のような効果を奏する。
（１）  放熱フィン３３が非可撓性ハウジング５０及び可撓性ハウジング６０の外側にあるから、発光モジュール１０から発した熱が台座部３２、取付板３１及び放熱フィン３３を通じて外部に放熱される。そのため、発光モジュール１０を効率よく冷却することができる。取付板３１の後面も露出しているから、取付板３１の後面から外部に放熱される。
【００３７】
（２）  可撓性ハウジング６０が可撓性であるからこそ、灯具ユニットの光軸Ａｘの傾きによって可撓性ハウジング６０を変形させることができつつ、可撓性ハウジング６０及び非可撓性ハウジング５０の内側に密閉空間を形成することができる。
【００３８】
（３）  非可撓性ハウジング５０が非可撓性・剛体であるので、非可撓性ハウジング５０を車両に簡単に取り付けることができる。
【００３９】
（４）  可撓性ハウジング６０及び非可撓性ハウジング５０を利用して、可撓性ハウジング６０及び非可撓性ハウジング５０の内側に密閉空間を形成することができる。そのため、外部の空気が可撓性ハウジング６０及び非可撓性ハウジング５０の内側の密閉空間に侵入して、その密閉空間の湿度が上昇することを防止することができる。その密閉空間が低湿度に維持されていれば、投影レンズ４０及び非可撓性ハウジング５０の曇りを防止することができる。
【００４０】
（５）  可撓性ハウジング６０の内周面のシール部６１が非可撓性ハウジング５０の外周面に圧接するため、気密性・止水性を確保することができる。ガスケット部６３が取付板３１の後面の周縁部とリング状の固定具６５との間に挟持されるため、気密性・止水性を確保することができる。リード線２２に設けられたシール部材２３によっても気密性・止水性を確保することができる。
【００４１】
（６）  調整機構部７０が非可撓性ハウジング５０及び可撓性ハウジング６０の外側にあるから、非可撓性ハウジング５０と可撓性ハウジング６０を分解せずとも調整機構部７０を操作することができる。非可撓性ハウジング５０と可撓性ハウジング６０を分解することによる空気の侵入を抑えつつ、灯具ユニットの光軸Ａｘの傾きを調整することができる。
【００４２】
（７）  灯具ユニットの光軸Ａｘの傾きを調整する際には、投影レンズ４０だけ又は発光モジュール１０だけが動くのではなく、投影レンズ４０と発光モジュール１０と遮光板４５が一体的に動く。そのため、光軸調整によって投射光の明部の位置が上下にずれるだけとなり、その投射光の色合い及び配光の崩れ・変化がない。
【符号の説明】
【００４３】
１  車両用灯具
２  灯室
１０  発光モジュール
３１  取付板（取付部）
３３  放熱フィン
４０  投影レンズ
５０  非可撓性ハウジング
５５  アウターレンズ
６０  可撓性ハウジング
６２  シール部
６３  ガスケット部
６５  固定具
【図１】
2015106465.tif 000003
【図２】
2015106465.tif 000004
【図３】
2015106465.tif 000005
【図４】
2015106465.tif 000006